(57)【要約】塗布ヘッドと、スロットダイ組立体１２と、スロットダイ組立体を塗布ヘッドに固定する固定機構とを備える流体塗布装置が提供される。スロットダイ組立体は、塗布ヘッドから流体を受け取るように構成された１つ以上の流体投入ポートを有する押出ダイ１６と、押出ダイに隣接して配置されるシム１８と、押出ダイとは反対側のシムの側部でシムに隣接して配置されるプレート２０とを備える。固定機構は、塗布ヘッド及びスロットダイ組立体のうちの一方における固定要素と、塗布ヘッド及びスロットダイ組立体のうちの他方における対応する固定要素とを含む。
2020520803.tif 000002
【特許請求の範囲】
【請求項１】
流体塗布装置において、
塗布ヘッドと、
スロットダイ組立体であって、
前記塗布ヘッドから流体を受け取る１つ以上の流体投入ポートを有する押出ダイと、
前記押出ダイに隣接して配置されるシムと、
前記押出ダイとは反対側の前記シムの側部で前記シムに隣接して配置されるプレートとを備えるスロットダイ組立体と、
前記スロットダイ組立体を前記塗布ヘッドに固定する固定機構であって、前記塗布ヘッドと前記スロットダイ組立体とのうちの一方における固定要素と、前記塗布ヘッドと前記スロットダイ組立体とのうちの他方における対応する固定要素とを含む固定機構とを具備する流体塗布装置。
【請求項２】
位置決め機構を更に備える請求項１に記載の流体塗布装置。
【請求項３】
前記位置決め機構は前記対応する固定要素内に配置される請求項２に記載の流体塗布装置。
【請求項４】
前記位置決め機構はカウンターボアである請求項３に記載の流体塗布装置。
【請求項５】
流体塗布装置において、
締結ボルトが固定された塗布ヘッドであって、前記ボルトは、該塗布ヘッドから外側に延びる柄部を有し、該柄部は一方の端部に配置される頭部を有して成る塗布ヘッドと、
スロットダイ組立体であって、
前記塗布ヘッドから流体を受け取る１つ以上の流体投入ポートを有する押出ダイであって、前記柄部を収納するスロットと、前記柄部の前記頭部が係合する肩部とを有する押出ダイと、
前記押出ダイに隣接して配置されるシムと、
前記押出ダイとは反対側の前記シムの側部で前記シムに隣接して配置されるプレートとを備えるスロットダイ組立体とを具備する流体塗布装置。
【請求項６】
前記ボルトは、ねじ接続部を介して前記塗布ヘッドに固定される請求項５に記載の流体塗布装置。
【請求項７】
前記スロットは、前記肩部が配置される締結ボアと、該締結ボアと連通する挿入ボアとを有する鍵穴スロットとして形成され、前記挿入ボアは、前記押出ダイの頂面に開口し、前記柄部及び前記頭部を収納するように構成され、前記挿入ボアは、前記締結ボアよりも大きい幅を有する請求項５に記載の流体塗布。
【請求項８】
前記締結ボアは、前記押出ダイの底面において開口して、前記締結ボルトへのアクセスを提供する請求項７に記載の流体塗布装置。
【請求項９】
前記締結ボアは、前記肩部とは異なる深さに配置されるカウンターボアを更に含む請求項７に記載の流体塗布装置。
【請求項１０】
前記押出ダイは、前記締結ボルトが前記挿入ボアに配置される第１の位置から、前記締結ボルトが前記締結ボアに配置される第２の位置まで可動である請求項９に記載の流体塗布装置。
【請求項１１】
前記第２の位置において、前記締結ボルトの前記頭部は前記カウンターボアに配置される請求項１０に記載の流体塗布装置。
【発明の詳細な説明】
【技術分野】
【０００１】
以下の記載は、流体塗布装置のスロットダイ組立体に関し、特に、流体塗布装置において迅速に交換されるように構成されたスロットダイ組立体に関する。
【背景技術】
【０００２】
不織布は、吸収性、撥水性、弾性、伸縮性、柔軟性、強度、難燃性保護、クリーニング簡易性、クッション性、濾過性、細菌バリアとしての用途、及び無菌性等の特有の機能性を提供する工業用の布である。不織材料は、他の材料と組み合わせて、多様な特性を有する様々な製品を提供することができ、単独でも、又は、使い捨て衛生製品を含む衛生衣類、家財道具、ヘルスケア用品、工業用品、産業用品、及び消費者用品の構成部材としても使用することができる。
【０００３】
１つ以上の伸縮性ストランドを不織材料上に配置及び接合して、例えば物体又は人体の周囲にフィットするように、製品に柔軟性を与えることができる。ストランドは、繊維糊（glue fiber）の形態の接着剤を用いて不織布に接合することができる。
【０００４】
接着剤塗布装置は、ダイとシムとの押出装置組立体等のノズル組立体を用いて、ストランドに接着剤を塗布することができる。ダイとシムとの押出装置組立体は、通常、押出ダイと、プレートと、押出ダイとプレートとの間に配置されるシムとを備える。通常、複数のねじ締結具が、押出ダイにあるそれぞれの円筒形ボアに通して収納されるとともに、塗布ヘッドに収納される。
【０００５】
ダイとシムとの押出装置組立体を塗布ヘッドから取り外す又は交換するために、作業員は、各締結具を回して、締結具を塗布ヘッド及び押出ダイから取り外す。反対に、ダイとシムとの押出装置組立体を塗布ヘッドに固定するために、作業員は、締結具を押出ダイのそれぞれのボアに挿通し、締結具を回して、締結具を塗布ヘッド内に固定する。
【０００６】
しかしながら、個々の締結具を駆動して完全に除去又は挿入することは、時間がかかり得る。また、各締結具を押出ダイから取り外しながら各締結具を回収及び保管することは、作業員にとって厄介であり得る。いくつかの場合、締結具の取り扱いを誤るか又は締結具を紛失することで、設置又は取外しが更に遅延する可能性がある。
【発明の概要】
【発明が解決しようとする課題】
【０００７】
従って、押出ダイと塗布ヘッドとの間に延びる締結具を完全に除去することなく、工具の使用を減らすか、制限するか又は工具を使用せずに、流体塗布装置の塗布ヘッドに固定する又は塗布ヘッドから取り外すことができる、ダイとシムとの押出装置組立体が必要とされている。
【課題を解決するための手段】
【０００８】
１つの態様によれば、流体塗布装置は、塗布ヘッドと、スロットダイ組立体とを備える。スロットダイ組立体は、塗布ヘッドから流体を受け取るように構成された１つ以上の流体投入ポートを有する押出ダイと、押出ダイに隣接して配置されるシムと、押出ダイとは反対側のシムの側部でシムに隣接して配置されるプレートとを備える。固定機構は、スロットダイ組立体を塗布ヘッドに固定するように構成される。固定機構は、塗布ヘッド及びスロットダイ組立体のうちの一方における固定要素と、塗布ヘッド及びスロットダイ組立体のうちの他方における対応する固定要素とを含む。
【０００９】
別の態様では、流体塗布装置は、締結ボルトが固定される塗布ヘッドであって、ボルトは、塗布ヘッドから外側に延びる柄部を有し、柄部は、一方の端部に配置される頭部を有する、塗布ヘッドと、スロットダイ組立体とを備える。スロットダイ組立体は、塗布ヘッドから流体を受け取るように構成された１つ以上の流体投入ポートを有する押出ダイを備え、押出ダイは、柄部を収納するように構成されたスロットと、柄部の頭部が係合するように構成された肩部とを有する。スロットダイ組立体は、押出ダイに隣接して配置されるシムと、押出ダイとは反対側のシムの側部でシムに隣接して配置されるプレートとを更に備える。
【発明の効果】
【００１０】
本発明のこれらの特徴及び利点並びに他の特徴及び利点は、添付の特許請求の範囲と併せて以下の詳細な説明から容易に明らかとなるであろう。
【図面の簡単な説明】
【００１１】
【図１】１つの実施形態に係るスロットダイ組立体を備える流体塗布装置の背面図である。
【図２】図１の流体塗布装置及びスロットダイ組立体の断面図である。
【図３】図１のスロットダイ組立体の上面図である。
【図４】図１のスロットダイ組立体の一部の背面斜視図である。
【図５】別の実施形態に係るスロットダイ組立体を備える流体塗布装置の背面図である。
【図６】図５の流体塗布装置及びスロットダイ組立体の断面図である。
【図７】図５のスロットダイ組立体の上面図である。
【図８】図５のスロットダイ組立体の一部の底面図である。
【図９】スロットダイ組立体を、本明細書に記載の１つの実施形態に係る流体塗布装置の塗布ヘッドに取外し可能に設置する方法を示す図である。
【図１０】１つの実施形態に係る交換可能なシム及び／又はプレートを備えるスロットダイ組立体の分解図である。
【図１１】本明細書に記載の別の実施形態に係る流体塗布装置の斜視図である。
【図１２】本明細書に記載の別の実施形態に係る流体塗布装置の斜視図である。
【図１３】本明細書に記載の別の実施形態に係る流体塗布装置の斜視図である。
【図１４】部分的に分解された状態の図１３の流体塗布装置の斜視図である。
【図１５】本明細書に記載の別の実施形態に係る流体塗布装置の側面図である。
【図１６】本明細書に記載の別の実施形態に係る、部分的に分解された状態の流体塗布装置の斜視図である。
【図１７】図１６の流体塗布装置における位置決め機構の一例を示す断面図である。
【図１８】本明細書に記載の別の実施形態に係る流体塗布装置において使用される固定機構の断面図及び側面図である。
【図１９】本明細書に記載の別の実施形態に係る流体塗布装置の部分斜視図である。
【図２０】本明細書に記載の別の実施形態に係る流体塗布装置の部分斜視図である。
【図２１】本明細書に記載の別の実施形態に係る流体塗布装置の側面図である。
【図２２】図２１の流体塗布装置の部分斜視図である。
【図２３】図２１の流体塗布装置の部分斜視図である。
【図２４】本明細書に記載の別の実施形態に係る流体塗布装置の背面図である。
【図２５】本明細書に記載の別の実施形態に係る流体塗布装置の斜視図である。
【図２６Ａ】未設置状態の図２５の流体塗布装置の固定機構の斜視図である。
【図２６Ｂ】設置状態に移動された図２５の流体塗布装置の固定機構の斜視図である。
【図２７】図２５の流体塗布装置の視覚表示の一例を示す斜視図である。
【図２８】図２５の流体塗布装置の視覚表示の別の例を示す斜視図である。
【図２９】図２５の流体塗布装置の部分分解斜視図である。
【図３０】本明細書に記載の流体塗布装置を洗浄するためのドリップトレイプレートの一例を示す斜視図である。
【図３１】本明細書に記載の別の実施形態に係る流体塗布装置の分解図である。
【図３２】一実施形態に係る、図３１の流体塗布装置の底面図である。
【図３３】一実施形態に係る、図３３の流体塗布装置の側面図である。
【図３４】本明細書に記載の一実施形態に係る、図３３の流体塗布装置におけるスロットダイ組立体の押出ダイの正面図である。
【図３５】本明細書に記載の一実施形態に係る、図３３の流体塗布装置におけるスロットダイ組立体の押出ダイの上面図である。
【図３６】本明細書に記載の一実施形態に係る、図３３の流体塗布装置におけるスロットダイ組立体の押出ダイの背面図である。
【図３７】本明細書に記載の一実施形態に係る、図３３の流体塗布装置におけるスロットダイ組立体の押出ダイの底面図である。
【図３８】一実施形態に係る、図３５のＣ−Ｃに沿った押出ダイの断面図である。
【図３９】一実施形態に係る図３４〜図３８の押出ダイの底面斜視図である。
【発明を実施するための形態】
【００１２】
本装置は様々な形態で実施可能であるが、目下好ましい実施形態を図面に示し、以下に記載する。本開示は本装置の例示とみなされ、図示の特定の実施形態に限定されることは意図されていないことが理解される。
【００１３】
図１は、１つの実施形態に係る、スロットダイ組立体１２が塗布ヘッド１４に設置された流体塗布装置１０の背面図である。図２は、図１の流体塗布装置１０及びスロットダイ組立体１２の断面図である。図１及び図２の例を参照すると、流体塗布装置１０は、塗布ヘッド１４を備える。塗布ヘッド１４は、スロットダイ組立体１２が取外し可能に固定又は設置されるアダプターを備えるか又はそのようなアダプターとして形成することができる。
【００１４】
概して、本明細書に記載の実施形態において、スロットダイ組立体１２は、好適な固定機構を用いて塗布ヘッド１４に取り付けることができる。固定機構は、例えば、スロットダイ組立体１２又は塗布ヘッド１４に形成されるか又は取り付けられる固定要素と、スロットダイ組立体１２又は塗布ヘッド１４のうちの他方に形成されるか又は取り付けられる、対応する相手側及び／又は協働固定要素とを含むことができる。固定要素は、対応する固定要素に解除可能に係合して、スロットダイ組立体１２を塗布ヘッド１４に解除可能に取り付けるように構成される。
【００１５】
例えば、１つの実施形態において、図２に示すように、固定要素は、塗布ヘッド１４のそれぞれのボア１０４に配置され、それぞれのボア１０４から外側に延びる、１つ以上の締結具１０２を含むことができる。１つの例において、各締結具１０２は、細長い柄部１０６と、柄部１０６に一体化された頭部１０８とを有するように形成される（図４）。締結具１０２は、例えば、塗布ヘッド１４に螺合式に収納されるボルト１０２とすることができる。しかしながら、本開示は、この例に限定されず、他の好適な締結具を使用することもできることが理解される。
【００１６】
図２を参照すると、スロットダイ組立体１２は、押出ダイ１６と、シム１８と、プレート２０とを備える。シム１８は、押出ダイ１６に隣接して配置され、プレート２０は、押出ダイ１６とは反対側のシム１８の側部でシム１８に隣接して配置される。押出ダイ１６とシム１８とプレート２０とは、ボルト２２等の好適な締結具を用いて一緒に固定することができる。１つの実施形態において、押出ダイ１６は、塗布ヘッド１４と当接係合するように構成された第１の表面２４と、第１の表面２４とは反対側の押出ダイ１６の側部に配置される第２の表面２６とを有する。押出ダイ１６は、第１の表面２４と第２の表面２６との間に延び、シム１８に当接するように構成された第３の表面２８と、第１の表面２４と第２の表面２６との間に延び、第３の表面２８とは反対側の押出ダイ１６の側部に配置される第４の表面３０とを更に有する。１つの実施形態において、第１の表面２４は、押出ダイ１６の上面に対応することができ、第２の表面２６は、押出ダイ１６の下面に対応することができ、第３の表面２８は、押出ダイ１６の前面に対応することができ、第４の表面３０は、押出ダイ１６の後面に対応することができる。
【００１７】
図２を更に参照すると、対応する又は相手側固定要素は、押出ダイ１６における、長手方向に延びる締結ボア又はスロット１２０を含むスロットとして形成することができる。１つの実施形態において、締結ボア１２０は、第１の表面２４から第２の表面２６まで延び、締結ボア１２０内には、肩部１２２が形成されている。肩部１２２は、押出ダイ１６及びひいてはスロットダイ組立体１２を塗布ヘッド１４に固定する締結具１０２の頭部に係合するように構成される。
【００１８】
スロット、すなわち対応する又は相手側固定要素は、締結ボア１２０に隣接して配置されるとともに締結ボア１２０に連通する、押出ダイ１６に形成された挿入ボア又はスロット１２４を更に含むことができる。１つの実施形態において、挿入ボア１２４は、第４の表面３０に開口し、第４の表面３０から内側に延びることができる。従って、締結具１０２が挿入ボア１２４に配置されたら、締結具１０２が挿入ボア１２４から締結ボア１２０に収納されるように、押出ダイ１６を締結具１０２に対して動かすことができる。すなわち、締結具１０２が締結ボア１２０内に配置されるように、押出ダイ１６を締結具１０２に対して横方向、すなわち横断方向（又は長手方向）に動かすことができる。
【００１９】
図３は、１つの実施形態に係る、図１のスロットダイ組立体の上面図である。図３を参照すると、押出ダイ１６は、塗布ヘッド１４から流体を受け取るように構成された１つ以上の流体投入ポート３４を更に有する。流体投入ポート３４は、押出ダイ１６に形成された１つ以上の内部導管（図示せず）に流体接続することができる。シム１８には、１つ以上の吐出スロット（図示せず）を画定することができ、各吐出スロットは、単数又は複数の内部導管に流体接続される。プレート２０は、バッキングプレートとしての役割を果たす。従って、流体は、流体投入ポート３４のうちの１つを通してスロットダイ組立体１２内に受け取られ、内部導管まで流れることができる。流体は、内部導管から１つ以上の吐出スロット内に受け取り、その後、スロットダイ組立体１２から基材、例えば材料ストランド上に吐出することができる。
【００２０】
図３を更に参照すると、上記で詳述したように、締結ボア１２０は、第１の表面２４から第２の表面２６まで押出ダイ１６を貫いて延びることができる。また、挿入ボア１２４は、第４の表面３０から内側に延びて、締結ボア１２０に連通することができる。
【００２１】
図４は、１つの実施形態に係る、図１のスロットダイ組立体１２の一部の背面斜視図である。図４を参照すると、挿入ボア１２４は、第４の表面３０から内側に延びる。また、挿入ボア１２４は、所望の締結具１０２を収納するサイズ及び寸法を有することができる。例えば、挿入ボア１２４は、第１のセクション１２６と、第１のセクション１２６に連通する第２のセクション１２８とを有することができる。第１のセクション１２６は、１つの実施形態において、第２のセクション１２８よりも大きな幅を有する。従って、締結具１０２の頭部１０８を第１のセクション１２６に収納することができ、柄部１０６を第２のセクション１２８に収納することができる。押出ダイ１６は、挿入ボア１２４内の第１のセクション１２６と第２のセクション１２８との接続部において、又は、締結ボア１２０内に形成された肩部１２２において、締結具１０２の頭部１０８によって支持することができる。
【００２２】
使用時、１つの実施形態によれば、締結具１０２の頭部１０８は、挿入ボア１２４の第１のセクション１２６と整合することができ、締結具１０２の柄部１０６は、挿入ボア１２４の第２のセクション１２８と整合することができる。押出ダイ１６は、締結具１０２が挿入ボア１２４に入るように１つの方向に動かすことができる。押出ダイ１６は、締結具１０２が挿入ボア１２４から締結ボア１２０に収納されるように同じ方向に更に動かすことができる。１つの例において、締結ボア１２０及び／又は締結具１０２は、長手方向を規定する。スロットダイ組立体１２は、締結具１０２を締結ボア１２０に入れるように動かされる場合、長手方向に対して実質的に横断方向に動かされる。締結具１０２が締結ボア１２０に入ったら、締結具１０２を操作して押出ダイ１６を塗布ヘッド１４に固定することができる。例えば、締結具１０２は、ねじ締結具とすることができ、締結具１０２を手で又は適切な工具（図示せず）を用いて回すことによって操作することができる。作業員は、押出ダイ１６の第２の表面２６を通して締結ボア１２０内の締結具１０２にアクセスし、締結具１０２を回して、締結具１０２の頭部１０８と締結ボア１２０内の肩部１２２との間に締付け力をかけることで、第１の表面２４を塗布ヘッド１４に係合させ、スロットダイ組立体１２を塗布ヘッド１４に固定することができる。
【００２３】
スロットダイ組立体１２を取り外すには、作業員は、締結具１０２を部分的に取り外すだけでよい。例えば、ねじ締結具１０２に関して、作業員は、締結具１０２が依然として塗布ヘッド１４内に固定されたままで、塗布ヘッド１４からスロットダイ組立体１２を取り外しやすくなるように十分な量の締付け力が取り除かれるまで、各締結具１０２を回すことができる。
【００２４】
上記実施形態では、締結具１０２の数、位置、サイズ及びタイプは、特定の用途に適合するように製造及び／又は組立て時に変更され得ることが理解される。例えば、図１は、押出ダイ１６の後面３０を横切る、それぞれに締結具１０２が収納された５つの挿入ボア１２４／締結ボア１２０機構を示しているが、流体塗布装置１０は、例えば、スロットダイ組立体１２の対向端部に又は対向端部付近に配置される２つのみの挿入ボア１２４／締結ボア１２０機構を備えるように形成してもよいことが理解される。追加の１つ以上の挿入ボア１２４／締結ボア１２０機構を、スロットダイ組立体１２に沿った中間位置に備えることもできる。１つの例において、２つの追加の中間締結具機構を用いることができ、それらの追加の中間締結具機構は、スロットダイ組立体１２の対向端部における又は対向端部付近における締結具よりも、鉛直に延びる中央線の近くに配置することができる。いくつかの実施形態において、締結具１０２は、六角ボルト又は穴付きタイプの六角ボルトとしてもよく、例えば、Ｍ６又はＭ８サイズのボルトとすることができる。
【００２５】
図５〜図８は、押出ダイ１６の代替的な一実施形態の種々の図を示している。下記の実施形態における特徴と同様又は同一である上記の実施形態に記載される特徴の更なる説明は、省略され得ることが理解される。また、下記の実施形態に記載される特徴は、上述の実施形態に組み込んでも又は一緒に使用してもよく、その逆も然りであることが理解される。さらに、特徴が上述した特徴と同じ又は同様である場合、同様の参照符号が以下で用いられ得る。さらにまた、下記で使用される用語及び／又は参照符号が上記で使用された用語及び／又は参照符号と同じ場合、下記の用語と関連付けられる特徴は、下記で異なるように記載されていない限り、上述した特徴と同じ又は同様であり得ることが理解される。
【００２６】
図５は、別の実施形態に係るスロットダイ組立体１２を備える流体塗布装置１０の背面図である。図６は、図５の流体塗布装置１０及びスロットダイ組立体１２の断面図である。図７は、図５のスロットダイ組立体１２の上面図である。図５〜図７に示す例を参照すると、固定要素は、塗布ヘッド１４のそれぞれのボア２０４に配置され、それぞれのボア２０４から外側に延びる、１つ以上の締結具２０２を含むことができる。１つ以上の締結具２０２は、上記の実施形態に記載される締結具１０２と同じ又は同様とすることができる。対応する又は相手側固定要素は、概して鍵穴スロットとして形成されたスロットとすることができる。例えば、鍵穴スロットは、上述した例とは異なる構成を有する締結ボア又はスロット２２０及び挿入ボア又はスロット２２２として、押出ダイ１６に形成することができる。図７に示すように、例えば、締結ボア２２０及び挿入ボア２２２は、互いに対して略平行に、かつ互いに連通して延びる。挿入ボア２２２及び締結具２０２の双方は、押出ダイ１６の第１の表面２４から内側に延びることができる。
【００２７】
図８は、図５〜図７のスロットダイ組立体１２の底面図である。図５〜図７を更に参照し、加えて図８を参照すると、第１の表面２４において、挿入ボア２２２は、第１の幅「ｗ１」を有することができ、締結ボア２２０は、第２の幅「ｗ２」を有することができ、第１の幅「ｗ１」は、第２の幅「ｗ２」よりも大きい。１つの実施形態において、第１の幅「ｗ１」は、締結具２０２の頭部を収納するのに十分であり、第２の幅「ｗ２」は、締結具２０２の頭部の直径よりも小さい。第２の幅「ｗ２」は、締結具２０２の柄部を収納するのに十分である。図６に示すように、例えば、締結ボア２２０は、締結具２０２の頭部に係合するように構成された肩部２２４を有し、従って、スロットダイ組立体１２は、少なくとも部分的に、締結具２０２の頭部において支持することができる。
【００２８】
使用時、１つの実施形態によれば、押出ダイ１６は、締結具２０２が挿入ボア２２２と整合される状態に配置することができる。押出ダイ１６は、締結具２０２が押出ダイ１６の第１の表面２４を通って挿入ボア２２２に収納されるように、第１の方向に締結具２０２に向けて動かすことができる。締結具２０２の頭部が肩部２２４から離れているときに、押出ダイ１６を第１の方向に対して横断方向である第２の方向に動かして、締結具２０２を挿入スロット２２２から締結ボア２２０に移動させることができる。締結具２０２が締結ボア２２０内に入ると、締結具２０２の頭部は、肩部２２４との係合によって押出ダイ１６を支持することができる。次に、締結具２０２を上述したように操作して、ダイ組立体１２を塗布ヘッド１４に固定し、またダイ組立体１２を塗布ヘッド１４から取り外すことができる。
【００２９】
上記実施形態では、作業員は、スロットダイ組立体を塗布ヘッドに固定するのに使用されている締結具を完全に除去することなく、スロットダイ組立体１２を設置又は交換することができる。むしろ、上記実施形態では、作業員は、締結具を「締め付ける」ことでスロットダイ組立体１２を塗布ヘッド１４に固定する又は締結具を「緩める」ことでスロットダイ組立体１２を塗布ヘッド１４から取り外すことができる。従って、締結具を完全に除去する必要がないので、時間及び労働力の節減を達成することができる。
【００３０】
図９は、上記の実施形態に記載されるスロットダイ組立体１２を流体塗布装置１０の塗布ヘッド１４に取外し可能に設置する方法の一例を示す図である。本方法は、Ｓ２１０において、締結具１０２、２０２が挿入ボア１２４、２２２に収納されるように、押出ダイ１６を締結具１０２、２０２に対して位置決めすることを含む。Ｓ２２０において、本方法は、締結具１０２、２０２が締結ボア１２０、２２０に収納されるように、押出ダイ１６を締結具１０２、２０２に対して摺動させることを含む。Ｓ２３０において、本方法は、締結具１０２、２０２を操作して、押出ダイ１６を塗布ヘッド１４に固定することを含む。Ｓ２４０において、本方法は、締結具１０２、２０２を操作して、締結具１０２、２０２を部分的に取り外すことによって、押出ダイ１６を塗布ヘッド１４から解放することを更に含むことができる。
【００３１】
１つの構成において、Ｓ２１２に示すように、押出ダイ１６を位置決めすることは、締結具２０２が挿入ボア２２２に収納されるように、押出ダイ１６を第１の方向に締結具２０２に対して動かすことを含み、押出ダイ１６を摺動させることは、Ｓ２２２に示すように、押出ダイ１６を第１の方向とは異なる第２の方向に動かすことを含む。
【００３２】
別の構成において、Ｓ２１４に示すように、押出ダイ１６を位置決めすることは、締結具１０２が挿入ボア１２４に収納されるように、押出ダイ１６を第１の方向に締結具１０２に対して動かすことを含み、押出ダイ１６を摺動させることは、Ｓ２２４に示すように、押出ダイ１６を第１の方向に更に動かすことを含む。
【００３３】
図１０は、スロットダイ組立体１２の分解図である。図１０を参照すると、シム１８及びプレート２０は、押出ダイ１６に交換可能に取り付けることができる。例えば、ダイ組立体締結具２２は、１つの実施形態において、押出ダイ１６内に固定することができる。シム１８及びプレート２０は、対応する整合された開口部を有することができ、ダイ組立体締結具２２は、この開口部を通って延びるように構成される。必要に応じて、ダイ組立体締結具２２は、押出ダイ１６に対して遠位の端部に、すなわち押出ダイ１６とは反対側の端部に、ねじ部を有する。ダイ組立体締結具２２のねじ部に、スリップナット又はロックナット等のナットを配置することができる。１つの実施形態において、スロットダイ組立体１２は、複数のダイ組立体締結具２２を備える。
【００３４】
使用時、１つの実施形態によれば、シム１８及びプレート２０は、ダイ組立体締結具２２が、整合された対応する開口部を通って延びるように配置し、ダイ組立体締結具２２に沿って、シム１８が押出ダイ１６に当接するとともにプレート２０がシム１８に当接する所定位置に摺動させることができる。次に、ナットを用いて、シム１６及びプレート１８を所定位置に固定することができる。
【００３５】
シム１８又はプレート２０を取り外す又は交換するために、作業員は、ナットを除去して、ダイ組立体締結具２２を押出ダイ１６上に維持しながら、プレート２０及びシム１８をダイ組立体締結具２２に沿って摺動させて取り除くことができるようにすることができる。従って、シム１８及び／又はプレート２０は、ダイ組立体締結具２２を完全に除去することなく、取り外す又は交換することができる。
【００３６】
図１１は、本明細書に記載の別の実施形態に係る流体塗布装置１０の斜視図である。図１１を参照すると、スロットダイ組立体１２を塗布ヘッド１４に取り付ける固定機構は、引張ロック３００であり、引張ロック３００は、概して、ラッチ３０２として形成された固定要素と、キャッチ３２０として形成された対応する固定要素とを備える。１つの実施形態において、ラッチ３０２は、塗布ヘッド１４に固定される。ラッチ３０２は、塗布ヘッド１４に固定されるブラケット３０４と、ブラケット３０４に回動可能に取り付けられるラッチハンドル３０６と、ラッチハンドル３０６に回動可能に取り付けられる掛止フック３０８とを含むことができる。ラッチハンドル３０６は、第１の軸の周りに回動可能であり、掛止フック３０８は、第１の軸から離間した第２の軸の周りに回動可能である。この実施形態では、固定要素３０２及び対応する固定要素３２０は、スロットダイ組立体１２及び塗布ヘッド１４の端部に取り付けることができる。
【００３７】
対応する固定要素、すなわちキャッチ３２０は、スロットダイ組立体１２に固定されるブラケット３２２を含むことができる。ブラケット３２２には、リップ３２４が形成され、リップ３２４は、スロットダイ組立体１２に固定される。掛止フック３０８は、リップ３２４に選択的に係合して、スロットダイ組立体１２を塗布ヘッド１４に固定するように構成される。
【００３８】
使用時、引張ロック３００を非ロック状態とロック状態との間で作動させることができる。１つの実施形態において、非ロック状態において、ラッチハンドル３０６は、第１の方向に、スロットダイ組立体１２が配置されることになる塗布ヘッド１４の側部に向かって回動されている。この非ロック状態では、引張ロック３００による引張力又は締付け力は、スロットダイ組立体１２から取り除かれている。引張ロック３００をロックするには、掛止フック３０８をリップ３２４に受けて、ラッチハンドル３０６を、第１の方向の反対の第２の方向に、スロットダイ組立体１２が配置されることになる塗布ヘッド１４の側部から離れる方に回動させる。掛止フック３０８がリップ３２４に係合された状態でラッチハンドル３０６が第２の方向に回動することによって、スロットダイ組立体１２が塗布ヘッド１４に向かって移動し、塗布ヘッド１４に接触する。ラッチハンドル３０６を第２の方向に引き続き回動させてロック状態にすると、掛止フック３０８及びリップ３２４を介してスロットダイ組立体１２に締付け力がかけられて、スロットダイ組立体１２が塗布ヘッド１４に固定される。
【００３９】
流体塗布１０は、例えば、２つの引張ロック３００を備えてもよい。各引張ロック３００は、塗布ヘッド１４及びスロットダイ組立体１２のそれぞれの横側部又は端部に配置することができる。ラッチ３０２のブラケット３０４及びキャッチ３２０のブラケット３２２は、限定されないがボルト等の既知の締結具を用いて、それぞれの塗布ヘッド１４及びスロットダイ組立体１２に固定することができる。また、代替的な構成において、ラッチ３０２をスロットダイ組立体１２に固定することができ、キャッチ３２０を塗布ヘッド１４に固定することができることが理解される。さらにまた、塗布ヘッド１４上でのスロットダイ組立体１２の適切な位置決めのために、スロットダイ組立体１２、塗布ヘッド１４、又はこれらの組合せ上に少なくとも２つの位置決めピン（図示せず）を備えてもよい。
【００４０】
図１２は、本明細書に記載の別の実施形態に係る流体塗布装置１０の斜視図である。図１２を参照すると、固定機構は、概して側方挿入ダブテール４００等の協働するダブテールとして形成される。固定要素は、塗布ヘッド１４に固定される第１のダブテールブロック４０２と、第１のダブテールブロック４０２から離間した、塗布ヘッド１４に固定される第２のダブテールブロック４０４とを含む。第１のダブテールブロック４０２は、第１の支持面４０６を有し、第２のダブテールブロック４０４は、第２の支持面４０８を有する。第１のダブテールブロック４０２と第２のダブテールブロック４０４とは、間にスロットダイ組立体１２を収納するように構成される。
【００４１】
対応する又は相手側固定要素は、ダイプレート２０上の第１の係合面４２０及び押出ダイ１６上の第２の係合面４２２として形成される。第１の係合面４２０は、第１の支持面４０６に係合するように構成され、第２の係合面４２２は、第２の支持面４０８に係合されるように構成される。１つの実施形態において、第１の係合面４２０と第１の支持面４０６とは、相補的な斜面として形成することができる。同様に、第２の係合面４２２と第２の支持面４０８とは、相補的な斜面として形成することができる。
【００４２】
第１の支持面４０６及び第２の支持面４０８は、それぞれ第１の係合面４２０及び第２の係合面４２２を介してスロットダイ組立体１２を支持するように構成される。スロットダイ組立体１２は、第１のダブテールブロック４０２又は第２のダブテールブロック４０４のうちの一方を通って延びる１つ以上の締結具４１０を締めて、スロットダイ組立体１２の対応する係合面４２０、４２２を係合させ、そこに締付け力をかけることによって、所望の位置に固定することができる。１つ以上の締結具４１０は、例えば、ボルトとすることができ、１つの実施形態において、六角ボルト又は穴付き六角ボルトとすることができる。１つ以上の締結具４１０を、スロットダイ組立体１２から離れる方に傾いた第１のダブテールブロック４０２又は第２のダブテールブロック４０４の表面を通して挿入し、スロットダイ組立体１２から吐出される流体による干渉を回避又は低減することができる。
【００４３】
図１３は、本明細書に記載の別の実施形態に係る流体塗布装置１０の斜視図である。図１４は、部分的に分解された状態の図１３の流体塗布装置１０の底面斜視図である。図１３及び図１４を参照すると、スロットダイ組立体１２を塗布ヘッド１４に取り付ける固定機構は、前方挿入ダブテール５００等の別の協働するダブテールとすることができる。固定要素は、塗布ヘッド１４に固定される第１のダブテールブロック５０２及び第２のダブテールブロック５０４を含む。第１のダブテールブロック５０２と第２のダブテールブロック５０４とは、互いに離間しており、間にスロットダイ組立体１２を収納するように構成される。第１のダブテールブロック５０２は、複数の離間した第１の支持面５０６を有し、第２のダブテールブロック５０４は、複数の離間した第２の支持面５０８を有する。
【００４４】
対応する又は相手側固定要素は、ダイプレート２０上の複数の第１の係合面５２０及び押出ダイ１６上の複数の第２の係合面５２２として形成される。複数の第１の係合面５２０の各第１の係合面５２０は、複数の第１の支持面５０６のそれぞれの第１の支持面５０６に係合するように構成される。同様に、複数の第２の係合面５２２の各第２の係合面５２２は、複数の第２の支持面５０８のそれぞれの第２の支持面５０８に係合するように構成される。１つの実施形態において、第１の係合面５２０と第１の支持面５０６とは、相補的な斜面として形成することができる。同様に、第２の係合面５２２と第２の支持面５０８とは、相補的な斜面として形成することができる。
【００４５】
代替的な一形態において、押出ダイ１６は、「Ｌ」の字の一方の脚が第１のダブテールブロック５０２と第２のダブテールブロック５０４との間に延びるように回転された、略「Ｌ」字形に形成することができる。ダイプレート２０は、押出ダイ１６の略「Ｌ」字形の内側で実質的に入れ子にすることができる。複数の第１の係合面５２０及び複数の第２の係合面５２２は両方とも、第１のダブテールブロック５０２と第２のダブテールブロック５０４との間に延びる脚の対向側部において押出ダイ１６に形成することができる。
【００４６】
複数の第１の支持面５０６及び第２の支持面５０８は、複数の第１の係合面５２０及び第２の係合面５２２を介してスロットダイ組立体１２を支持するように構成される。スロットダイ組立体１２は、複数の第１の支持面５０６のそれぞれの第１の支持面５０６又は複数の第２の支持面５０８のそれぞれの第２の支持面５０８を通って延びる１つ以上の締結具５１０を締めて、スロットダイ組立体１２の対応する係合面５２０、５２２に係合させ、そこに締付け力をかけることによって、所望の位置に固定することができる。１つ以上の締結具５１０は、例えば、ボルト又は止めねじとすることができ、１つの実施形態において、穴付き若しくは外側六角ボルト又は止めねじとすることができる。１つ以上の締結具５１０を、スロットダイ組立体１２から離れる方に傾斜する位置で第１のダブテールブロック５０２又は第２のダブテールブロック５０４に挿通し、スロットダイ組立体１２から吐出される流体による干渉を低減又は回避することができる。
【００４７】
固定機構は、位置決め機構を更に含むことができ、位置決め機構は、塗布ヘッド１４に固定される第１の位置決め翼部５３０と、スロットダイ組立体１２に固定される第２の位置決め翼部５３２とを含む。例えば、図１３及び図１４を更に参照すると、第１の位置決め翼部５３０及び第２の位置決め翼部５３２は、それぞれ塗布ヘッド１４の横側部及びスロットダイ組立体１２の横側部に配置することができる。１つの実施形態において、第２の位置決め翼部５３２は、スロットダイ組立体１２の押出ダイ１６に固定することができる。スロットダイ組立体１２が適切に配置されている場合、位置決めピン５３４は、第１の位置決め翼部５３０に収納され、ピン５３４の少なくとも一部が第２の位置決め翼部５３２に収納される位置まで延びることができる。位置決め機構は、塗布ヘッド１４の横側部及びスロットダイ組立体１２の横側部のうちの一方又は双方に配置してもよい。代替的に、位置決め機構は、第１のダブテールブロック５０２及び第２のダブテールブロック５０４のうちの一方又は双方の端部に形成された停止部５３６（図１４）とすることができる。
【００４８】
使用時、１つの実施形態によれば、スロットダイ組立体１２は、第１のダブテールブロック５０２及び第２のダブテールブロック５０４に対して、複数の第１の係合面５２０及び第２の係合面５２２が第１のダブテールブロック及び第２のダブテールブロックの対応する支持面５０６、５０８の間に配置される状態に位置決めすることができる。次に、スロットダイ組立体１２は、第１のダブテールブロック５０２及び第２のダブテールブロック５０４に対して摺動させ、ついには各第１の係合面５２０及び第２の係合面５２２がそれぞれの第１の支持面５０６及び第２の支持面５０８に係合し、位置決めピン５３４が第２の位置決め翼部５３２に収納されることによって、適切に位置決めすることができる。
【００４９】
図１５は、本明細書に記載の別の実施形態に係る流体塗布装置１０の側面図である。図１５の実施形態における固定機構は、図１２に示す実施形態並びに図１３及び図１４に示す実施形態を参照して上述した固定機構と同様とすることができる。図１２〜図１４を参照して上記の実施形態に記載された特徴と同様又は同じであるこの実施形態の特徴は、上記のそれらの特徴と同じ参照符号で特定することができ、これらの同様又は同じ特徴の更なる説明は省略される場合があることが理解される。
【００５０】
図１５を参照すると、第２のダブテールブロック６０４は、塗布ヘッド１４に対して摺動可能に配置することができる。１つの実施形態において、第２のダブテールブロックは、空圧シリンダー６３０及びロッド６３２によって係合位置と係脱位置との間で駆動可能である。係合位置において、ロッド６３２は、第２の支持面６０８が第２の係合面４２２、５２２に係合して、スロットダイ組立体１２を塗布ヘッド１４に取り付けるように締付け力をかけることができるように、空圧シリンダー６３０から延出している。係脱位置において、ロッド６３２は、第２の支持面６０８を第２の係合面４２２、５２２から係脱させるように後退している。
【００５１】
図１６及び図１７は、別の実施形態に係る流体塗布装置１０を示している。図１６は、１つの実施形態に係る、部分的に分解された状態の流体塗布装置１０の底面斜視図である。図１６を参照すると、スロットダイ組立体１２を塗布ヘッド１４に取り付ける固定機構は、端部に取り付けられ、概してねじクランプ組立体７００として形成することができる。固定要素は、塗布ヘッドの対向側部又は端部から延びる一対の翼部７０２を含み、各翼部７０２には、開口スロット７０４が形成されている。対応する又は相手側固定要素は、スロットダイ組立体１２の対向側部又は端部から延びる一対のスロットダイ組立体翼部７２０として形成される。１つの実施形態において、一対のスロットダイ組立体翼部７２０は、押出ダイ１６から延びる。各スロットダイ組立体翼部には、開口スロット７２２が形成されている。
【００５２】
ねじクランプ７２４は、一対の翼部７０２又はスロットダイ組立体翼部７２０のうちの一方に回動可能に固定することができる。例えば、図１６に示すように、ねじクランプ７２４は、各スロットダイ組立体翼部７２０に回動可能に配置することができる。各ねじクランプ７２４は、係合位置と係脱位置との間で回動させることができる。例えば、図１６を参照すると、ねじクランプ７２４を係合位置に動かすために、ねじクランプ７２４を、塗布ヘッド１４に向かって上方に回動させ、翼部７０２の開口スロット７０４に収納する。次に、ねじクランプ７２４を、ねじクランプ７２４自体の長手軸の周りに回して、スロットダイ組立体１２を塗布ヘッドに締め付けることができる。ねじクランプ７２４は、ねじクランプ７２４をねじクランプ７２４の軸の周りで反対方向に回すとともに、ねじクランプが翼部７０２の開口スロット７０４から取り除かれるように塗布ヘッド１４から離れる方に回動させることによって、係脱位置に動かすことができる。
【００５３】
図１６及び図１７を参照すると、流体塗布装置１０は、位置決め機構７３０を更に備えることができる。１つの実施形態において、位置決め機構は、磁気式位置決め装置である。図１７を参照すると、磁気式位置決め装置は、塗布ヘッド１４内に配置される１つ以上の磁気部材７３２と、スロットダイ組立体１２内に配置される１つ以上の対応する磁気部材７３４とを備える。磁気部材７３２と対応する磁気部材７３４との間の磁気引力によって、押出ダイ１６が塗布ヘッド１４から流体を受け取ることができるように、スロットダイ組立体１２が適切な位置において塗布１４と整合される。また、位置決め機構は、本明細書に記載の固定機構のいずれかを用いてスロットダイ組立体１２を塗布ヘッド１４に取り付ける又は固定する間、スロットダイ組立体１２を適切な位置に維持するのに十分な保持引力を提供することができる。
【００５４】
図１８は、スロットダイ組立体１２を流体塗布装置１０の塗布ヘッド１４に取り付ける固定機構の代替的な一実施形態を示している。この実施形態では、固定機構は、磁気式固定装置８００とすることができる。磁気式固定装置８００は、ハウジング８０２として形成される固定要素を備える。ハウジング８０２の内部には、電磁石（図示せず）が配置されている。電磁石は、磁化状態と消磁状態との間で駆動可能である。１つの実施形態において、ハウジング８０２は、電磁石を駆動するためにスイッチ８０４に作動的に接続される。ハウジング８０２は、塗布ヘッド１４又はスロットダイ組立体１２のいずれかに配置又は固定することができる。
【００５５】
ハウジング８０２は、塗布ヘッド１４又はスロットダイ組立体１２のうちの他方から延びるとともにそれに固定されるポスト又はピン８２０等の対応する又は相手側固定要素を収納するように構成される。ポスト又はピンは、磁性材料から形成される。従って、ポスト又はピン８２０がハウジング８０２に収納された状態で、電磁石を磁化してポスト又はピン８２０をハウジング８０２内に固定し、それによって塗布ヘッド１４をスロットダイ組立体１２に固定することができる。反対に、電磁石を消磁させて、ハウジング８０２からポスト又はピン８２０を取り除きやすくなるようにして、塗布ヘッド１４とスロットダイ組立体とを分離することができるようにすることができる。
【００５６】
図１９は、別の実施形態に係る流体塗布装置１０を示している。図１９を参照すると、固定機構は、偏心カムレバーシステム９００とすることができる。カムレバーシステム９００は、カムレバーシステム９００によって少なくとも部分的に塗布ヘッド１４に固定される偏心カムレバー９０２及びボルト又はラグ９０４として形成される固定要素を備える。カムレバー９０２は、軸の周りに回動可能であり、軸の周りに延びる偏心部９０６を有する。カムレバー９０２は、ボルト又はラグ９０４に作動的に接続され、カムレバー９０２が軸の周りで回動することによって、ボルト又はラグ９０４が線形移動するようになっている。ボルト又はラグ９０４は、柄部９０８と、柄部９０８よりも直径の大きい頭部９１０とを有する。
【００５７】
図１９を更に参照すると、スロットダイ組立体１２は、図１〜図４を参照して上記の実施形態に記載された挿入ボア及び締結ボアと同様の、挿入ボア又はスロット９２０及び挿入ボア９２０と連通する締結ボア又はスロット９２２として形成される対応する又は相手側固定要素を備える。しかしながら、図１〜図４に示す実施形態と比較して、この実施形態では、締結ボア９２２は、押出ダイ１６を完全に通って延びない。挿入ボア９２０は、スロットダイ組立体１２の一方の側部に開口し、もう一方の側部において締結ボア９２２に開口する。挿入ボア９２０及び締結ボア９２２の双方は、ボルト又はラグ９０４の頭部９１０を収納するように構成された、第１の幅を有する第１の部分９２４と、第１の部分９２４と連通する、ボルト又はラグ９０４の柄部９０８を収納するように構成された、第２の幅を有する第２の部分９２６とを有する。第１の幅は、第２の幅よりも大きく、挿入ボア９２０及び締結ボア９２２を通る共通の肩部９２８を形成するようになっている。従って、ボルト又はラグ９０４の頭部９１０は、スロットダイ組立体１２を肩部９２８において支持することができる。上述したような固定要素及び対応する又は相手側固定要素を備える複数のカムレバーシステム９００を設けることができる。例えば、カムレバーシステム９００は、塗布ヘッド１４及びスロットダイ組立体１２の対向端部に又は対向端部付近に設けることができる。
【００５８】
動作時、１つの例によれば、スロットダイ組立体１２を、塗布ヘッド１４及びボルト又はラグ９０４に対して、頭部９１０が挿入スロット９２０の第１の部分９２４に収納されるとともに柄部９０８が第２の部分９２６に収納されるように位置決めすることができる。次に、挿入ボア９２０がボルト又はラグ９０４に対して摺動して、ついにはボルト又はラグが締結ボア９２２内の側壁に接触するように、スロットダイ組立体１２を第１の方向に塗布ヘッドに対して摺動させることができる。次に、カムレバー９０２を第１の方向に回動させて、ボルト又はラグ９０４の頭部９０８を塗布ヘッド１４に向けて引っ張ることができ、それによって頭部９１０が肩部９２８に力をかけて、スロットダイアプリケーター１２を塗布ヘッドに締め付ける。反対に、カムレバー９０２を反対方向に回動させることで、頭部９１０を塗布ヘッド１４から離れる方に移動させ、それによってスロットダイアプリケーター１２を解放することができる。上記実施形態では、挿入ボアと締結ボアとは、１つの締結具を収納することができる単一のボアを形成するように、同一の広がりを有してもよい及び／又は重なり合ってもよいことが理解される。
【００５９】
図２０は、図１９に示す流体塗布装置１０の別の実施形態を示している。図２０の実施形態を参照すると、固定要素、特に偏心カムレバー９０２は、空圧シリンダー１００２に置き換えることができる。すなわち、図２０に示す実施形態において、固定機構は、空圧シリンダー１００２として形成される固定要素を含み、空圧シリンダー１００２は、ボルト又はラグ９０４に作動的に接続され、ボルト９０４を塗布ヘッド１４に固定する。空圧シリンダー１００２は、ボルト又はラグ９０４の頭部９１０を塗布ヘッド１４に向かって及び塗布ヘッド１４から離れる方に駆動するように構成される。１つの実施形態において、ボルト又はラグ９０４の柄部９０８は、空圧シリンダー１００２内に摺動可能に延びることができる。図１９を参照して上述したように、ボルト又はラグ９０４を動かすことによって、スロットダイ組立体１２が塗布ヘッド１４に対して固定又は解放される。１つの実施形態において、流体塗布装置は、塗布ヘッド１４及びスロットダイ組立体１２の対向側部に又は対向側部付近に配置される２つの空圧シリンダー１００２を備える。対応する固定要素は、図１９を参照して上述されたような挿入ボア又はスロット９２０及び締結ボア又はスロット９２２として形成することができる。
【００６０】
図２１〜図２３は、別の実施形態に係る流体塗布装置１０を示している。この実施形態では、固定機構は、後方スロット付きノズルシステム１１００（図２２）として形成することができる。図２１は、後方スロット付きノズルシステム１１００を備える流体塗布装置の側面図であり、図２２は、図２１の流体塗布装置１０の底面斜視図である。図２３は、図２１の流体塗布装置１０の部分斜視図である。
【００６１】
図２１〜図２３を参照すると、後方スロット付きノズルシステム１１００は、塗布ヘッド１４内のそれぞれの締結ボア（図示せず）に固定される１つ以上の締結具１１０４として形成される固定要素を備える。１つの実施形態において、締結具１１０４は、それぞれの締結ボアに螺合されるボルト等のねじ締結具とすることができる。締結具１１０４は、締結ボア内に少なくとも部分的に配置される柄部１１０６と、対向端部に配置される頭部１１０８とを有することができる。必要に応じて、頭部１１０８に隣接して柄部１１０６の周囲にワッシャ１１１０を配置してもよい。
【００６２】
対応する又は相手側固定要素は、スロットダイ組立体１２の厚さを貫いて延びる１つ以上のスロット又はボア１１２０として形成される。１つの実施形態において、スロット１１２０は、後方に面し、押出ダイ１６を通って延びる。すなわち、１つ以上のスロット１１２０は、例えばスロットダイ組立体１２の後面において、締結具１１０４を収納するように構成された開口側部を有する。１つの実施形態において、スロット１１２０は、第１の表面（頂面）２４と、第２の表面（底面）２６と、第４の表面（後面）３０とに開口する。図２２を参照すると、スロット１１２０の数及び位置は、締結具１１０４の数及び位置に対応することができる。締結具１１０４を締めて、スロットダイ組立体１２を塗布ヘッド１４に固定する、又は、締結具１１０４を緩めて、スロットダイアプリケーター１２を塗布ヘッド１４から取り外すことができる。頭部１１０８及び／又はワッシャ１１１０は、スロット１１２０に隣接する肩部１１２２において、押出ダイ１６及びひいてはスロットダイ組立体１２を支持するように構成される。
【００６３】
図２１〜図２３を参照すると、流体塗布装置は、塗布ヘッド１４に固定されるガイドプレートの形態の位置決め機構１１３０を更に備えることができる。１つの実施形態において、ガイドプレート１１３０の厚さによって、スロットダイ組立体１２が塗布ヘッド１４上に適切に配置されている場合に当接することができる停止部又は突条部が提供される。
【００６４】
図２４は、別の実施形態に係る流体塗布装置１０を示している。図２４に示す実施形態は、図１６及び図１７に示す実施形態の変形形態又は代替形態とすることができる。従って、同様の参照符号及び用語を用いて、図１６及び図１７の実施形態における対応する特徴と同様又は同じである図２４の実施形態における特徴を説明及び特定することができる。
【００６５】
図２４を参照すると、流体塗布装置１０の背面図が示されている。この実施形態では、固定機構は、端部に取り付けることができ、概して塗布ヘッド１４の一方の側部から延びる翼部１２０２として形成される固定要素を含む。翼部１２０２には、開口スロット７０４（図１６）が形成されている。対応する又は相手側固定要素は、スロットダイ組立体１２から延びるスロットダイ組立体翼部１２２０として形成される。１つの実施形態において、スロットダイ組立体翼部１２２０は、押出ダイ１６から延びる。スロットダイ組立体翼部１２２０には、開口スロット７２２（図１６）が形成されている。
【００６６】
ねじクランプ１２２４は、翼部１２０２又はスロットダイ組立体翼部１２２０に回動可能に固定することができる。図２４に示すように、例えば、ねじクランプ１２２４は、スロットダイ組立体翼部１２２０に回動可能に取り付けることができ、ねじクランプ１２２４の柄部を翼部１２０２のスロットに収納することができるように回動可能であり、ねじクランプ１２２４を、例えばねじクランプ１２２４の頭部を、柄部による螺合を介して回して、翼部１２０２に対して締め付けることができる。ねじクランプ１２２４は、図１６及び図１７を参照して上述したように係合位置と係脱位置との間で回転させることができる。
【００６７】
図２４を更に参照すると、流体塗布装置１０は、位置決め機構１２３０を更に備えることができる。１つの実施形態において、位置決め機構１２３０は、磁気式位置決め装置を含む。磁気式位置決め装置は、塗布ヘッド１４内に配置される１つ以上の磁気部材７３２（図１６）と、スロットダイ組立体１２内に配置される１つ以上の対応する磁気部材１２３４とを備える。磁気部材７３２と対応する磁気部材１２３４との間の磁気引力によって、押出ダイ１６が塗布ヘッド１４から流体を受け取ることができるように、スロットダイ組立体１２が適切な位置において塗布１４と整合される。また、位置決め機構は、本明細書に記載の固定機構のいずれかを用いてスロットダイ組立体１２を塗布ヘッド１４に取り付ける又は固定する間、スロットダイ組立体１２を適切な位置に維持するのに十分な保持引力を提供することができる。
【００６８】
位置決め機構１２３０は、塗布ヘッド１４及びスロットダイ組立体１２のうちの一方に形成される位置決め溝１２３８を有する位置決め耳１２３６と、塗布ヘッド１４及びスロットダイ組立体１２のうちの他方に形成される位置決めラグ１２４０とを更に含むことができ、位置決めラグ１２４０は、位置決め溝１２３８に収納されるように構成される。例えば、図２４に示すように、位置決め耳１２３６は、塗布ヘッド１４上に形成するか又は塗布ヘッド１４に固定することができ、位置決めラグ１２４０は、スロットダイ組立体１２上に形成するか又はスロットダイ組立体１２に固定することができる。ラグ１２４０は、スロットダイ組立体１２が塗布ヘッド１４に向かって動かされる間に、溝１２３８内に配置することができる。ラグ１２４０が溝１２３８内に配置されたら、最初の位置決めのために、スロットダイ組立体１２が塗布１４に向かって動かされる際に、磁気部材７３２と対応する磁気部材１２３４とを実質的に整合させて互いを引きつけるようにすることができる。次に、スロットダイ組立体１２をねじクランプ１２２４によって塗布ヘッドに固定することができる。
【００６９】
図２５〜図２９は、本明細書に記載の別の実施形態に係る流体塗布装置を示している。図２５〜図２９に示す実施形態は、図１４に示す実施形態の変形形態又は代替形態とすることができる。従って、同様の参照符号及び用語を用いて、図１４の実施形態における対応する特徴と同様又は同じである図２５〜図２９の実施形態における特徴を説明及び特定することができる。また、図１４に示す実施形態に記載された特徴は、図２５〜図２９の実施形態に組み込むことができ、その逆も然りであり、上記で特定した特徴の更なる説明は、以下では省略される場合がある。
【００７０】
図２５は、本明細書に記載の別の実施形態に係る流体塗布装置１０の底面斜視図である。図２６Ａ及び図２６Ｂは、未設置状態の（図２６Ａ）及び設置状態に移動された（図２６Ｂ）、固定機構及びスロットダイ組立体１２の上面斜視図である。図２７〜図２９は、図２５の流体塗布装置１０の種々の斜視図である。図２５〜図２９を参照すると、スロットダイ組立体１２を塗布ヘッド１４に取り付ける固定機構は、概して前方挿入ダブテール１３００等の協働するダブテールとすることができる。固定要素は、塗布ヘッド１４に固定される第１のダブテールブロック１３０２及び第２のダブテールブロック１３０４を含む。第１のダブテールブロック１３０２と第２のダブテールブロック１３０４とは、互いに離間しており、間にスロットダイ組立体１２を収納するように構成される。第１のダブテールブロック１３０２は、複数の離間した第１の支持面１３０６を有し、第２のダブテールブロック１３０４は、複数の離間した第２の支持面１３０８を有する。第２のダブテールブロック１３０４は、複数の個別のダブテールブロック１３０４として形成することができ、それぞれ第２の支持面１３０８を有する。
【００７１】
対応する又は相手側固定要素は、ダイプレート２０上の複数の第１の係合面１３２０及び押出ダイ１６上の複数の第２の係合面１３２２として形成される。第１の係合面１３２０は、概して傾斜形状又は楔形状に形成され、例えば、台形の輪郭を有することができる。しかしながら、本開示は、この構成に限定されないことが理解される。例えば、各第１の係合面１３２０は、正方形、矩形又は類似の輪郭を有するように形成してもよい。
【００７２】
複数の第１の係合面１３２０の各第１の係合面１３２０は、複数の第１の支持面１３０６のそれぞれの第１の支持面１３０６に係合するように構成される。同様に、複数の第２の係合面１３２２の各第２の係合面１３２２は、複数の第２の支持面１３０８のそれぞれの第２の支持面１３０８に係合するように構成される。従って、図２６Ｂに示す設置状態において、各第１の係合面は、対応する第１の支持面１３０６と整合されて、第１の支持面１３０６によって支持され、各第２の係合面１３２２は、対応する第２の支持面１３０８と整合されて、第２の支持面１３０８によって支持される。１つの実施形態において、第１の係合面１３２０と第１の支持面１３０６とは、相補的な斜面として形成することができる。同様に、第２の係合面１３２２と第２の支持面１３０８とは、相補的な斜面として形成することができる。
【００７３】
複数の第１の支持面１３０６及び第２の支持面１３０８は、複数の第１の係合面１３２０及び第２の係合面１３２２を介してスロットダイ組立体１２を支持するように構成される。スロットダイ組立体１２は、複数の第１の支持面１３０６のそれぞれの第１の支持面１３０６及び／又は複数の第２の支持面１３０８のそれぞれの第２の支持面１３０８を通って延びる１つ以上の締結具１３１０を締めて、スロットダイ組立体１２の対応する係合面１３２０、１３２２に係合させ、そこに締付け力をかけることによって、所望の位置に固定することができる。１つ以上の締結具１３１０を、スロットダイ組立体１２から離れる方に傾斜する位置で第１のダブテールブロック１３０２又は第２のダブテールブロック１３０４に挿通し、スロットダイ組立体１２から吐出される流体による干渉を低減又は回避することができる。
【００７４】
固定機構は、位置決め機構１３３０を更に含むことができ、位置決め機構１３３０は、ばね付勢プランジャー１３３２と、プランジャー１３３２を選択的に収納するように構成されたボア１３３４とを含む。１つの実施形態において、プランジャー１３３２は、塗布ヘッド１４又は第１のダブテールブロック１３０２に固定することができ、ボア１３３４は、スロットダイ組立体１２に形成することができる。ばね付勢プランジャー１３３２は、伸張位置に付勢され、スロットダイ組立体１２が設置状態に適切に位置決めされている場合、ボア１３３４内に突出することができる。例えば、ボア１３３４は、ダイプレート２０に形成することができる。従って、ばね付勢プランジャー１３３２が、例えばスロットダイ組立体１２の外面に接触することによって、付勢力に抗して収縮位置に保持された状態で、スロットダイ組立体１２を塗布ヘッド１４に対して動かすことができる。ボア１３３４がばね付勢プランジャー１３３２と整合されると、プランジャー１３３２は、付勢力によって外側に突出してボア１３３４に収納され、塗布ヘッド１４に対するスロットダイ組立体１２の更なる横方向移動を制限又は防止することができる。ばね付勢プランジャー１３３２がボア１３３４に収納されると、スロットダイ組立体１２は、塗布ヘッド１４への固定のために適切に位置決めされる。
【００７５】
位置決め機構１３３０は、スロットダイ組立体１２、固定機構１３００及び／又は塗布ヘッド１４上に形成又は配置される視覚表示１３３６を更に備えることができる。例えば、１つの実施形態において、視覚表示は、スロットダイ組立体１２の適切な向きを示す、スロットダイ組立体１２上に形成された矢印を含むことができる。視覚表示１３３６は、スロットダイ組立体１２に形成された溝、線、又は同様の指標と、第１のダブテールブロック１３０２に形成された対応する溝、線、又は同様の指標とを更に含むことができる。対応する指標が整合することで、塗布ヘッド１４上でのスロットダイ組立体１２の適切な位置を示す又は確認することができる。
【００７６】
使用時、１つの実施形態によれば、スロットダイ組立体１２は、第１のダブテールブロック１３０２及び第２のダブテールブロック１３０４に対して、複数の第１の係合面１３２０及び第２の係合面１３２２が第１のダブテールブロック及び第２のダブテールブロックの対応する支持面１３０６、１３０８の間に配置される状態に位置決めすることができる。次に、スロットダイ組立体１２を、第１のダブテールブロック１３０２及び第２のダブテールブロック１３０４に対して摺動させ、ついには各第１の係合面１３２０と第２の係合面１３２２とがそれぞれの第１の支持面１３０６及び第２の支持面１３０８と整合されて係合し、プランジャー１３３２がボア１３３４に収納されることによって、適切に位置決めすることができる。次に、締結具１３１０を駆動して、スロットダイ組立体１２を所定位置に使用準備が整うように固定及び維持することができる。
【００７７】
図３０は、本明細書に記載の一実施形態に係る、流体塗布装置１０を洗浄するためのドリップトレイプレート１４００の斜視図である。図３４を参照すると、ドリップトレイ１４００は、塗布ヘッド１４に固定する又は塗布ヘッド１４上に配置することができる。ドリップトレイ１４００の第１の部分は、塗布ヘッド１４に当接することができ、第２の部分は、塗布ヘッド１４から離間することができる。第１の部分１４０２と第２の部分１４０４との間には、中間部分１４０６が延びることができる。１つの実施形態において、中間部分は、第１の部分１４０２と第２の部分１４０４との間で直角でない角度に延びる。
【００７８】
図３１〜図３９は、本明細書に記載の別の実施形態に係るスロットダイ組立体１２を備える流体塗布装置１０を示している。上記実施形態において詳述したように、スロットダイ組立体１２は、押出ダイ１６と、シム又はシムパッケージ１８と、プレート２０とを備える。図３１は、スロットダイ組立体１２を備える流体塗布１０の分解図である。図３２は、スロットダイ組立体１２を伴う流体塗布装置１０の底面図であり、図３３は、本明細書に記載される実施形態に係る、スロットダイ組立体１２を伴う流体塗布装置１０の側面図である。この実施形態の塗布ヘッド１４は、例えば、図１〜図８の実施形態を参照して上述した塗布ヘッド１４と実質的に同じに形成することができる。同様に、図３１〜図３８の実施形態では、流体塗布装置１０は、図１〜図８の実施形態を参照して上述した固定要素と同様の固定要素を備えることができる。従って、固定要素は、塗布ヘッド１４のそれぞれのボア（例えば、図２の１０４を参照）内に配置され、それぞれのボアから外側に延びる、１つ以上の締結具１５０２を含むことができる。１つ以上の締結具１５０２は、例えば、図１〜図８に関して上記の実施形態に記載された締結具１０２又は２０２と同じ又は同様とすることができる。従って、各締結具１５０２は、図４において締結具１０２に関して示されているような、細長い柄部１０６と頭部１０８とを有することができる。締結具１５０２は、最初、例えば図３１に示されているようにスロットダイ組立体１２内に、又は塗布ヘッド１４内に配置することができる。
【００７９】
図３４は、本明細書に記載の一実施形態に係る押出ダイ１６の正面図である。図３５は、本明細書に記載の一実施形態に係る押出ダイ１６の上面図である。図３６は、押出ダイ１６の背面図であり、図３７は、底面図である。図３１〜図３７を参照すると、上記実施形態に記載したように、押出ダイ１６は、第１の表面すなわち頂面２４と、第２の表面すなわち底面２６と、第３の表面すなわち前面２８と、第４の表面すなわち後面３０とを有する。また、１つの実施形態において、対応する又は相手側固定要素は、概して鍵穴スロットとして形成されたスロットとすることができる。例えば、鍵穴スロットは、締結ボア又はスロット１５２０及び挿入ボア又はスロット１５２２として押出ダイ１６に形成することができる。１つの実施形態において、締結ボア又はスロット１５２０及び挿入ボア又はスロット１５２２は、図５〜図８に示す実施形態に示されている締結ボア又はスロット２２０及び挿入ボア又はスロット２２２とそれぞれ同様に形成することができる。しかしながら、図３１〜図３８の実施形態において、締結ボア又はスロット１５２０及び挿入ボア又はスロット１５２２は、スロットダイ組立体１２の横方向又は幅方向「Ｗ」ではなく、厚さ方向「Ｔ」又は積重ね方向（すなわち、押出ダイ１６とシム（複数の場合もある）１８とプレート２０とが積み重ねられる方向）において、互いに対して配置することができる。挿入ボア１５２２及び締結具１５０２の両方が、押出ダイ１６の第１の表面２４から内側に延びることができる。
【００８０】
図３４〜図３７を更に参照すると、第１の表面２４において、挿入ボア１５２２は、第１の幅「ｗ１」を有することができ、締結ボア１５２０は、第２の幅「ｗ２」を有することができ、第１の幅「ｗ１」は、第２の幅「ｗ２」よりも大きい。１つの実施形態において、第１の幅「ｗ１」は、締結具１５０２の頭部１０８を収納するのに十分であり、第２の幅「ｗ２」は、締結具１５０２の頭部１０８の直径よりも小さい。第２の幅「ｗ２」は、締結具１５０２の柄部１０６を収納するのに十分であるが、締結具１５０２の頭部１０８の直径又は幅よりは小さい。
【００８１】
図３８は、図３５のＣ−Ｃに沿った押出ダイ１６の断面図である。図３９は、押出ダイ１６の底面２６の斜視図である。図３４〜図３９を参照すると、締結ボア１５２０の肩部１５２４は、締結具１５０２の頭部１０８に係合するように構成される。肩部１５２４は、締結ボア１５２０と挿入ボア１５２２との間の幅ｗ１、ｗ２の差によって形成される。従って、スロットダイ組立体１２は、少なくとも部分的に、締結具１５０２の頭部１０８において支持することができる。
【００８２】
使用時、１つの実施形態によれば、押出ダイ１６（又はスロットダイ組立体１２全体）を、締結具（複数の場合もある）１５０２が挿入ボア（複数の場合もある）１５２２と整合される状態に配置することができる。押出ダイ１６は、締結具１５０２が押出ダイ１６の第１の表面２４を通って挿入ボア１５２２に収納されるように、第１の方向Ｄ１に締結具１５０２に向けて動かすことができる。押出ダイ１６が第１の方向Ｄ１に動かされ、肩部１５２４が締結具１５０２の頭部１０８を鉛直方向に越えたら、押出ダイ１６を、第１の方向Ｄ１に対して横断方向である第２の方向Ｄ２に動かして、締結具１５０２を挿入スロット１５２２から締結ボア１５２０に入れることができる。すなわち、１つの実施形態において、押出ダイ１６を、まず、締結具１５０２が挿入ボア１５２２内にある状態で塗布ヘッド１４に向けて動かし、次に、略水平方向において塗布ヘッド１４に対して実質的に平行に動かして、締結具１５０２を締結ボア１５２０内に配置することができる。
【００８３】
図３１〜図３９の実施形態を更に参照し、図３８及び図３９を特に参照すると、スロットダイ組立体１２は、締結具１５０２及び塗布ヘッド１４に対するスロットダイ組立体１２の適切な位置決めを確実にするように構成された位置決め機構１５３０を更に備えることができる。適切な位置決めとは、塗布ヘッド１４から流体を受け取り、続いて流体を意図されるように基材上に吐出するために、締結具１５０２を締めてスロットダイ組立体１２を塗布ヘッド１４に固定することができるように、スロットダイ組立体１２の締結ボア１５２０が締結具１５０２と整合する位置を指すことが理解される。
【００８４】
１つの実施形態において、位置決めセクション１５３０は、締結ボア１５２０内のカウンターボア１５３０として形成することができる。カウンターボア１５３０は、肩部１５２４とは異なる深さ（すなわち、第１の表面２４からの距離）に配置される。例えば、１つの実施形態において、カウンターボア１５３０は、肩部１５２４よりも第１の表面２４の近くに配置される。従って、締結具１５０２が挿入ボア１５２２に収納された状態で、スロットダイ組立体１５１２を第２の方向Ｄ２に動かすと、肩部１５２４は、締結具１５０２の頭部１０８に沿って摺動することができる。締結具１５０２の頭部１０８が締結ボア１５２０に到達すると、頭部１０８がカウンターボア１５３０内の位置に到達することにより、スロットダイ組立体１５２は、重力によって下降する又は鉛直位置を段階的に変化させることができる。すなわち、締結具の頭部１０８を締結ボア１５２０内に配置すると、カウンターボア１５３０が鉛直方向に頭部１０８に対して移動することにより、スロットダイ組立体１２は、第１の方向Ｄ１の反対の第３の方向Ｄ３に動くことができる。従って、塗布ヘッド１４に対するスロットダイ組立体１２の適切な位置決めは、カウンターボア１５３０内での頭部１０８の位置による、スロットダイ組立体１２の鉛直位置の変化によって示すことができる。頭部１０８がカウンターボア１５３０内にあり、柄部１０６が締結ボア１５２０を通って延びている状態で、工具（図示せず）を押出ダイ１６の底面すなわち第２の表面２６から締結ボア１５２０に挿入し、締結具１５０２を締めて、スロットダイ組立体１２を塗布ヘッド１４に固定することができる。
【００８５】
図３９に最もよく示されているように、カウンターボア１５３０は、カウンターボア表面１５３２を有し、締結具１５０２の頭部１０８をカウンターボア表面１５３２に対して締め付けて、押出ダイ１６及びひいてはスロットダイ組立体１２を塗布ヘッド１４に固定することができる。カウンターボア表面１５３２は、肩部１５２４から鉛直方向にオフセットされており、従って、押出ダイ１６が、塗布ヘッド１４への固定のための締結具１５０２及び塗布ヘッド１４に対する適切な位置に到達した場合に、鉛直方向の「下降」又は移動が可能になる。
【００８６】
１つの実施形態において、リップ１５３４は、肩部１５２４から鉛直方向に延び、挿入ボア１５２２を横方向においてカウンターボア１５３０から隔離する。従って、頭部１０８がカウンターボア１５３０内に配置されている場合、頭部１０８が意図せず又は不慮にカウンターボア１５３０から挿入ボア１５２２内へと横方向に移動することを制限又は防止することができる。従って、リップ１５３４は、頭部１０８がカウンターボア１５３０内に配置されている場合、押出ダイ１６の横方向移動を実質的に防止又は制限する。同様に、リップ１５３４により、頭部１０８が挿入ボア１５２２からカウンターボア１５３０内へと横方向に移動することも防止又は制限することができる。
【００８７】
スロットダイ組立体１２を塗布ヘッド１４から取り外すために、締結具１５０２を反対方向に操作することができる。作業員は、次に、締結具１５０２の頭部１０８がカウンターボア１５３０を離脱し、第２の方向Ｄ２と反対の第４の方向Ｄ４へのスロットダイ組立体１２の移動が許容される位置まで、スロットダイ組立体１２を第１の方向Ｄ１に（すなわち、塗布ヘッド１４に向けて）持ち上げることができる。締結ボア１５２０の肩部１５２４は、締結具１５０２が挿入ボア１５２２内に配置されるまで、頭部１０８に沿って第４の方向に摺動する。締結具１５０２が挿入ボア１５２２に到達したら、スロットダイ組立体１２を第３の方向Ｄ３に、すなわち塗布ヘッド１４から離れる方に動かして、塗布ヘッド１４から取り外すことができる。
【００８８】
上記実施形態では、作業員は、スロットダイ組立体を塗布ヘッドに固定するのに使用されている締結具を完全に除去することなく、スロットダイ組立体１２を設置又は交換することができる。むしろ、上記実施形態では、作業員は、締結具を「締め付ける」ことでスロットダイ組立体１２を塗布ヘッド１４に固定する又は締結具を「緩める」ことでスロットダイ組立体１２を塗布ヘッド１４から取り外すことができる。従って、締結具を完全に除去する必要がないので、時間及び労働力の節減を達成することができる。
【００８９】
上記実施形態では、固定要素を塗布ヘッド１４又はスロットダイ組立体１２のうちの一方に形成することができ、対応する固定要素を塗布ヘッド１４及びスロットダイ組立体１２のうちの他方に形成することができることが理解される。また、特に上述又は図示されていない場合であっても、上記の実施形態の種々の特徴を組み合わせて一緒に使用することができることも理解される。例えば、対向端部において又は対向端部付近において支持されるスロットダイ組立体１２を備える実施形態は、例えばダブテールセグメントを含むこと又は締緩可能な追加の締結具を用いることによって、中央部に追加の支持体を備えてもよい。また、図１〜図８に示す実施形態等の他の実施形態は、図３１〜図３８を参照して記載したカウンターボア１５３０を有してもよい。
【００９０】
「上側」、「下側」、「後方」、「前方」等のような相対的方向に関する用語は、単に説明のためのものであり、本開示の範囲を制限することは意図していないことが当業者には理解されるであろう。
【００９１】
本明細書で参照した全ての特許は、本開示の本文内で詳細に引用されたか否かに関わらず、引用することにより本明細書の一部をなす。
【００９２】
本開示では、数量を指定しない表現（the words "a" or "an"）は、単数及び複数の双方を含むものとみなされる。また、複数形の項目の言及は、適切な場合は単数形を含む。例えば、上記の実施形態において、１つ以上の締結具１６を用いることができる。同様に、押出ダイは、１つ以上の締結ボアと、１つ以上の挿入ボアとを有することができる。
【００９３】
本開示の新規の概念の真の趣旨及び範囲から逸脱することなく、多数の変更形態及び変形形態を実施することができることが上記から認識される。図示の特定の実施形態に対する限定は意図しておらず、そのような限定が推定されるべきではないことが理解される。本開示は、特許請求の範囲の範囲内にある全ての変更形態を包含することが意図される。
【符号の説明】
【００９４】
１０    流体塗布装置
１２    スロットダイ組立体
１４    塗布ヘッド
１６    締結具
１６    押出ダイ
１８    シム
２０    プレート
２２    ダイ組立体締結具
２４    第１の表面（頂面）
２６    第２の表面（底面）
２８    第３の表面
３０    第４の表面（後面）
３４    流体投入ポート
１０２    締結具
１０４    ボア
１０６    柄部
１０８    頭部
１２０    締結ボア
１２２    肩部
１２４    挿入ボア
１２４    スロット
１２６    第１のセクション
１２８    第２のセクション
１５２    スロットダイ組立体
２０２    締結具
２０４    ボア
２２０    締結ボア
２２２    挿入ボア
２２４    肩部
３００    引張ロック
３０２    ラッチ
３０４    ブラケット
３０６    ラッチハンドル
３０８    掛止フック
３２０    キャッチ
３２２    ブラケット
３２４    リップ
４００    側方挿入ダブテール
４０２    第１のダブテールブロック
４０４    第２のダブテールブロック
４０６    第１の支持面
４０８    第２の支持面
４１０    締結具
４２０    第１の係合面
４２２    第２の係合面
５００    前方挿入ダブテール
５０２    第１のダブテールブロック
５０４    第２のダブテールブロック
５０６    第１の支持面
５０８    第２の支持面
５１０    締結具
５２０    第１の係合面
５２２    第２の係合面
５３０    翼部
５３２    翼部
５３４    ピン
５３６    停止部
６０４    第２のダブテールブロック
６０８    第２の支持面
６３０    空圧シリンダー
６３２    ロッド
７００    クランプ組立体
７０２    翼部
７０４    開口スロット
７２０    スロットダイ組立体翼部
７２２    開口スロット
７２４    クランプ
７３０    機構
７３２    磁気部材
７３４    磁気部材
８００    磁気式固定装置
８０２    ハウジング
８０４    スイッチ
８２０    ピン
９００    カムレバーシステム
９０２    カムレバー
９０４    ボルトまたはラグ
９０６    偏心部
９０８    柄部
９１０    頭部
９２０    挿入ボア
９２２    締結ボア
９２４    第１の部分
９２６    第２の部分
９２８    肩部
１００２    空圧シリンダー
１１００    ノズルシステム
１１０４    締結具
１１０６    柄部
１１０８    頭部
１１１０    ワッシャ
１１２０    スロット
１１２２    肩部
１１３０    ガイドプレート
１２０２    翼部
１２２０    スロットダイ組立体翼部
１２２４    ねじクランプ
１２３０    位置決め機構
１２３４    磁気部材
１２３６    位置決め耳
１２３８    位置決め溝
１２４０    ラグ
１３００    前方挿入ダブテール
１３０２    第１のダブテールブロック
１３０４    第２のダブテールブロック
１３０６    第１の支持面
１３０８    第２の支持面
１３１０    締結具
１３２０    第１の係合面
１３２２    第２の係合面
１３３０    位置決め機構
１３３２    プランジャー
１３３４    ボア
１３３６    視覚表示
１４００    ドリップトレイ
１４０２    第１の部分
１４０４    第２の部分
１４０６    中間部分
１５０２    締結具
１５１２    スロットダイ組立体
１５２０    締結ボア
１５２２    挿入ボア
１５２４    肩部
１５３０    カウンターボア
１５３２    カウンターボア表面
１５３４    リップ
【図１】
2020520803.tif 000003
【図２】
2020520803.tif 000004
【図３】
2020520803.tif 000005
【図４】
2020520803.tif 000006
【図５】
2020520803.tif 000007
【図６】
2020520803.tif 000008
【図７】
2020520803.tif 000009
【図８】
2020520803.tif 000010
【図９】
2020520803.tif 000011
【図１０】
2020520803.tif 000012
【図１１】
2020520803.tif 000013
【図１２】
2020520803.tif 000014
【図１３】
2020520803.tif 000015
【図１４】
2020520803.tif 000016
【図１５】
2020520803.tif 000017
【図１６】
2020520803.tif 000018
【図１７】
2020520803.tif 000019
【図１８】
2020520803.tif 000020
【図１９】
2020520803.tif 000021
【図２０】
2020520803.tif 000022
【図２１】
2020520803.tif 000023
【図２２】
2020520803.tif 000024
【図２３】
2020520803.tif 000025
【図２４】
2020520803.tif 000026
【図２５】
2020520803.tif 000027
【図２６Ａ】
2020520803.tif 000028
【図２６Ｂ】
2020520803.tif 000029
【図２７】
2020520803.tif 000030
【図２８】
2020520803.tif 000031
【図２９】
2020520803.tif 000032
【図３０】
2020520803.tif 000033
【図３１】
2020520803.tif 000034
【図３２】
2020520803.tif 000035
【図３３】
2020520803.tif 000036
【図３４】
2020520803.tif 000037
【図３５】
2020520803.tif 000038
【図３６】
2020520803.tif 000039
【図３７】
2020520803.tif 000040
【図３８】
2020520803.tif 000041
【図３９】
2020520803.tif 000042
【国際調査報告】
2020520803.tif 000043
2020520803.tif 000044